(57)【要約】【課題】玄関が共通で各住戸のブロックごとに玄関扉が設けられている集合住宅に適する集合住宅用インターホンシステムを提供する。【解決手段】本発明は、集合住宅の玄関に設置されるロビーインターホンと、集合住宅の内部の各住戸に設置される住宅情報盤とを備え、ロビーインターホンからの呼び出しに住宅情報盤で応答して通話をするものであって、ロビーインターホンは、集合住宅の内部に通じる玄関扉を施錠する電気錠の解錠を制御するための解錠信号を出力する解錠出力端子を有し、住宅情報盤は、ロビーインターホンに電気錠の解錠を指示する解錠操作部を有する集合住宅用インターホンシステムにおいて、ロビーインターホンは、解錠出力端子を複数有し、解錠出力端子に対応する電気錠の解錠を制御することにより複数の玄関扉の解錠を制御するものであることを特徴としている。【選択図】　図１
2004129148.tif 000002
【特許請求の範囲】
【請求項１】
集合住宅の玄関に設置されるロビーインターホンと、集合住宅の内部の各住戸に設置される住宅情報盤とを備え、ロビーインターホンからの呼び出しに住宅情報盤で応答して通話をするものであって、住戸はグループ分けされて複数のブロックを構成し、集合住宅の内部と玄関との間には、これらのブロックごとに設けられる玄関扉を有し、ロビーインターホンは、これらの玄関扉を施錠する電気錠を解錠するための解錠信号を出力する解錠出力端子を有し、住宅情報盤は、ロビーインターホンに電気錠の解錠を指示する解錠操作部を有する集合住宅用インターホンシステムにおいて、ロビーインターホンは、解錠出力端子を複数有し、解錠出力端子に接続された電気錠により複数の玄関扉の解錠を制御するものであることを特徴とする集合住宅用インターホンシステム。
【請求項２】
解錠操作部が操作されたときにどの解錠出力端子に接続された電気錠を解錠するかを定める解錠出力条件を設定する解錠出力条件設定部を有し、ロビーインターホンは、この解錠出力条件に基づいて電気錠の解錠を制御するものであることを特徴とする請求項１記載の集合住宅用インターホンシステム。
【発明の詳細な説明】
【０００１】
【発明の属する技術分野】
本発明は、集合住宅用インターホンシステムに関する。
【０００２】
【従来の技術】
従来の集合住宅用インターホンシステムは、集合住宅の玄関に設置されるロビーインターホンと、集合住宅の内部の各住戸に設置される住宅情報盤との間で通話をして、住宅情報盤の解錠操作部により玄関扉の電気錠を解錠するものである。
【０００３】
また、特開昭６０−３０７７６号公報には、集合住宅が複数の玄関（玄関ロビー）を有し、そのそれぞれにロビーインターホン（玄関ロビーユニット）を有してそれらのロビーインターホンにより対応する玄関扉を制御する構成が開示されている。
【０００４】
一方、集合住宅Ａには、図３に示すように、集合住宅Ａの玄関Ｌが共通で各住戸がブロック（１棟Ａ１、２棟Ａ２）に分けられ、そのブロックごとに玄関扉３が設けられているものがある。また、このブロックとして、各住戸を複数の棟に分ける代わりに、例えば、集合住宅Ａの高層階と低層階に分けるものもある。
【０００５】
【特許文献１】
特開昭６０−３０７７６号公報
【０００６】
【発明が解決しようとする課題】
しかしながら、特開昭６０−３０７７６号公報に開示された構成を、図３に示した集合住宅Ａに適用しようとすると、複数の玄関扉３のそれぞれの電気錠４に対して１つのロビーインターホン１が対応するので、複数のロビーインターホン１が必要になる。
【０００７】
そうすると、共通の玄関Ｌに複数のロビーインターホン１が設置されるので、来訪者は、住戸内の応答者を呼び出すために、どのロビーインターホン１を用いるのかを選択する必要がある。また、複数のロビーインターホン１を玄関Ｌに設置されるので設置スペースが多く必要となり、美観を向上するものではなかった。
【０００８】
本発明は、上記事由に鑑みてなしたもので、その目的とするところは、玄関が共通で各住戸のブロックごとに玄関扉が設けられている集合住宅に適する集合住宅用インターホンシステムを提供することにある。
【０００９】
【課題を解決するための手段】
請求項１に係る発明は、集合住宅の玄関に設置されるロビーインターホンと、集合住宅の内部の各住戸に設置される住宅情報盤とを備え、ロビーインターホンからの呼び出しに住宅情報盤で応答して通話をするものであって、ロビーインターホンは、集合住宅の内部に通じる玄関扉を施錠する電気錠を解錠するための解錠信号を出力する解錠出力端子を有し、住宅情報盤は、ロビーインターホンに電気錠の解錠を指示する解錠操作部を有する集合住宅用インターホンシステムにおいて、ロビーインターホンは、解錠出力端子を複数有し、解錠出力端子に接続された電気錠により複数の玄関扉の解錠を制御するものであることを特徴としている。
【００１０】
したがって、１つのロビーインターホンにより複数の電気錠の解錠を制御するので、複数の玄関扉の解錠を制御することができるようになり、来訪者がロビーインターホンを選択する必要がなく、設置スペースを低減して美観を向上した集合住宅用インターホンシステムを提供することができる。
【００１１】
請求項２に係る発明は、請求項１記載の集合住宅用インターホンシステムにおいて、解錠操作部が操作されたときにどの解錠出力端子に接続された電気錠を解錠するかを定める解錠出力条件を設定する解錠出力条件設定部を有し、ロビーインターホンは、この解錠出力条件に基づいて電気錠の解錠を制御するものであることを特徴としている。
【００１２】
したがって、設定した解錠出力条件に基づいて玄関扉の電気錠の解錠を制御するので、解錠出力条件の変更などを容易に行うことができる。
【００１３】
【発明の実施の形態】
（第１の実施形態）
次に、すべての請求項の発明に係る一実施形態を図１乃至図３を用いて説明する。このものは、図１に示すように、ロビーインターホン１と、住宅情報盤２と、玄関扉３と、電気錠４と、警報監視盤５を有して構成されている。このものは、図３に示したような住戸が１棟Ａ１と２棟Ａ２とにブロック分けされている集合住宅Ａに設置されている。
【００１４】
ロビーインターホン１は、集合住宅Ａの玄関Ｌに設置されるものであり、端子部１ａと、多重伝送回路１ｂと、通話回路１ｃと、メイン回路１ｄと、表示部１ｅと、テンキー操作部１ｆと、アンプ１ｇと、スピーカ１ｈと、マイク１ｉと、メモリ１ｊと、電源部１ｋとを有して構成されている。
【００１５】
端子部１ａは、他の機器との接続を行うものであり、２つの解錠出力端子１ａａを有して構成され、警報監視盤５を介して住宅情報盤２に接続されている。このものは、住宅監視盤２や警報監視盤５と通話をするときには音声信号が入力され、住宅情報盤２からは、解錠を指示する信号が入力される。また、一方の解錠出力端子１ａａは、１棟Ａ１入館用の玄関扉３を施錠する電気錠４に接続され、他方の解錠出力端子１ａａは、２棟Ａ２入館用の玄関扉３を施錠する電気錠４に接続されている。これらの解錠出力端子１ａａから解錠信号を出力することにより、電気錠４はそれぞれ解錠され、玄関扉３は解錠される。
【００１６】
通話回路１ｃと、アンプ１ｇと、スピーカ１ｈと、マイク１ｉとは、ロビーインターホン１と住宅情報盤２との間と、ロビーインターホン１と警報監視盤５との間の通話に用いられるものである。表示部１ｅは、テンキー操作部１ｆの入力結果などを表示するものであり、テンキー操作部１ｆは、住宅情報盤２や警報監視盤５を呼び出すために用いられるものである。メイン回路１ｄは、通話処理や、解錠処理などを行うものであり、解錠処理を行うときには警報監視盤５の解錠出力条件設定部６に設定された解錠出力条件に基づいて解錠する電気錠４を決定し、その電気錠４を接続する解錠出力端子１ａａから解錠信号を出力する。
【００１７】
住宅情報盤２は、集合住宅Ａの内部の各住戸に設置されるものであり、ハンドセット２ａと、ベースプリント基板ブロック２ｂ、メインプリント基板ブロック２ｃ、表示操作プリント基板ブロック２ｄ、電源部２ｅ、スピーカ２ｆを有して構成されている。ハンドセット２ａは、ロビーインターホン１や警報監視盤５からの呼び出しに応答して通話するものである。このものは、例えば押釦のような解錠操作部２ａａを有しており、この解錠操作部２ａａを操作することにより、ロビーインターホン１に解錠を指示する信号を送信する。ベースプリント基板ブロック２ｂと、メインプリント基板ブロック２ｃと、表示操作プリント基板ブロック２ｄとは、各種処理を行う回路であり、ベースプリント基板ブロック２ｂは、警報監視盤５を介してロビーインターホン１に接続されている。
【００１８】
玄関扉３は、玄関Ｌから集合住宅Ａの内部と玄関との間に設けられるものであり、１棟Ａ１用と２棟Ａ２用の２つが並んで設けられている。そして、これらのものはそれぞれ電気錠４により施錠されており、電気錠４が解錠されていないときには来訪者が集合住宅Ａに入れないようになっている。これらの電気錠４は、解錠出力端子１ａａに接続されており、解錠出力端子１ａａから解錠信号を入力されることにより解錠する。一回の解錠動作で解錠される時間は、あらかじめ定められた一定時間であり、この一定時間が経過すると再び施錠されるようになっている。
【００１９】
警報監視盤５は、集合住宅Ａ内の例えば管理人室などに設置されるものであり、端子部５ａと、多重伝送回路５ｂと、通話回路５ｃと、メイン回路５ｄと、表示部５ｅと、操作部５ｆと、スピーカ５ｈと、ハンドセット５ｉと、メモリ５ｊと、電源部５ｋとを有して構成されている。
【００２０】
端子部５ａは、他の機器との接続を行うものであり、ロビーインターホン１と、住宅情報盤２とに接続されている。このものは、ロビーインターホン１や住宅監視盤２と通話をするときには音声信号が入力される。
【００２１】
通話回路５ｃと、スピーカ５ｈと、ハンドセット５ｉとは、警報監視盤５とロビーインターホン１との間と、警報監視盤５と住宅情報盤２との間の通話に用いられるものである。また、メイン回路５ｄは、通話処理や、解錠出力条件の設定などを行うものである。このメイン回路５ｄと、操作部５ｆと、メモリ５ｊとは、解錠出力条件設定部６を構成しており、解錠操作部２ａａが操作されたときにどの解錠出力端子１ａａに接続された電気錠４を解錠するかを定める解錠出力条件を設定するものである。ここでは、解錠出力条件設定部６に設定された解錠出力条件として、１棟Ａ１の住宅情報盤２と通話しているときには１棟Ａ１用の玄関扉３を施錠する電気錠４を接続する解錠出力端子１ａａから解錠信号を出力し、２棟Ａ２の住宅情報盤２と通話しているときには２棟Ａ２用の玄関扉３を施錠する電気錠４を接続する解錠出力端子１ａａから解錠信号を出力するように設定されている。この解錠出力条件は、操作部５ｆにより容易に変更することができる。
【００２２】
次に、第１の実施形態の動作について説明する。来訪者がロビーインターホン１を操作する前は、玄関Ｌに設けられた１棟Ａ１用と２棟Ａ２用の２つの玄関扉３の電気錠４は施錠されている。ここで、来訪者がロビーインターホン１により住宅情報盤２を呼び出す操作を行う（ＳＴ１）。この呼び出し操作により１棟Ａ１内の住戸の応答者を呼びだしたときには、１棟Ａ１の住宅情報盤２から呼出音が鳴る（ＳＴ１１）。ここで、応答者が住宅情報盤２のハンドセット２ａを取り上げると、ロビーインターホン１を操作している来訪者と通話することができる（ＳＴ１２）。ここで、この応答者は玄関扉３を解錠するかどうかを判断する（ＳＴ１３）。そして、この応答者が玄関扉３を解錠するときには、住宅情報盤２にある解錠釦２ａａを押す。つまり、解錠操作部２ａａを操作する（ＳＴ１４）。すると、ロビーインターホン１は、住宅情報盤２から解錠を指示する信号が入力され、解錠出力条件設定部６に設定された解錠出力条件に基づいて解錠する電気錠４を決定する。ここでは、１棟Ａ１用の玄関扉３を施錠している電気錠４を接続する解錠出力端子１ａａから解錠信号を出力する（ＳＴ１５）。そして、１棟Ａ１用の玄関扉３の電気錠４が解錠され（ＳＴ１６）、来訪者は入館ができるようになり、通話を終了する（ＳＴ１７）。また、この応答者が玄関扉３を解錠しないときにはそのまま通話を終了する（ＳＴ１７）。一方、来訪者がロビーインターホン１により住宅情報盤２を呼び出す操作（ＳＴ１）により２棟Ａ２内の住戸の応答者を呼びだしたときにも上記と同様の動作を行う（ＳＴ２１〜ＳＴ２７）。
【００２３】
このように、第１の実施形態においては、１つのロビーインターホン１により複数の電気錠４の解錠を制御するので、複数の玄関扉３の解錠を制御することができるようになり、来訪者がロビーインターホン１を選択する必要がなく、設置スペースを低減して美観を向上した集合住宅用インターホンシステムを提供することができる。また、設定した解錠出力条件に基づいて玄関扉３の電気錠４の解錠を制御するので、解錠出力条件の変更などを容易に行うことができる。
【００２４】
なお、実施形態において、ロビーインターホン１と住宅情報盤２とが警報監視盤５を介して接続されるものについて説明を行った、それに限るものではなく、解錠出力条件設定部６をロビーインターホン１または住宅情報盤２に設ければ、警報監視盤５を用いなくても構成することができる。
【００２５】
また、解錠出力条件設定部６があるものについて説明を行ったが、解錠出力条件設定部６の代わりに解錠出力条件を記憶したメモリ部のみを設けるものであってもよい。
【００２６】
また、集合住宅Ａの住戸が２棟であり、玄関扉３が２つの実施形態について説明したが、玄関扉３が３つ以上設けられるものであってもよい。
【００２７】
【発明の効果】
請求項１に係る発明によれば、１つのロビーインターホンにより複数の電気錠の解錠を制御するので、複数の玄関扉の解錠を制御することができるようになり、来訪者がロビーインターホンを選択する必要がなく、設置スペースを低減して美観を向上した集合住宅用インターホンシステムを提供することができる。
【００２８】
請求項２に係る発明によれば、請求項１記載の効果に加え、設定した解錠出力条件に基づいて玄関扉の電気錠の解錠を制御するので、解錠出力条件の変更などを容易に行うことができる。
【図面の簡単な説明】
【図１】第１の実施形態の構成を示すブロック図である。
【図２】第１の実施形態の動作を示すフローチャートである。
【図３】従来例を示すブロック図である。
【符号の説明】
１　　　ロビーインターホン
１ａａ　解錠出力端子
２　　　住宅情報盤
２ａａ　解錠操作部
３　　　玄関扉
４　　　電気錠
６　　　解錠出力条件設定部
【図１】
2004129148.tif 000003
【図２】
2004129148.tif 000004
【図３】
2004129148.tif 000005